(57)【要約】【課題】バックライトのメンテナンス行うためのキャビネットの分解作業を迅速かつ容易に行うことができるようにする。【解決手段】表示装置１は、液晶パネル２２を照明するＬＥＤモジュール２１を有するパネルモジュール２と、パネルモジュール２の表示パネルの周縁を取り囲むフロントキャビネット３と、パネルモジュール２の背面側を覆うバックキャビネット４とを備える。ＬＥＤモジュール２１は、液晶パネル２２の周囲に配置され、出射光は導光板２３により導光される。そして、表示装置１の前面側から取り外し操作が可能なビス１１によって、パネルモジュール２がフロントキャビネット３に固定される。これにより、ＬＥＤバックライトのメンテナンス行うためのキャビネットの分解作業を表示装置の前面側から迅速かつ容易に行うことができるようになる。【選択図】図１
2011085694.tif 000002
【特許請求の範囲】
【請求項１】
前面に表示面を有する表示パネル、及び該表示パネルを照明するバックライトを有するパネルモジュールと、前記パネルモジュールの表示パネルの周縁を取り囲むフロントキャビネットと、前記パネルモジュールの背面側を覆うバックキャビネットとを有し、前記パネルモジュールと前記フロントキャビネットからなる筐体内に前記パネルモジュールが収容されてなる表示装置において、
前記バックライトは、前記表示パネルの周囲にＬＥＤによるバックライト光源を有し、表示装置の前面側から取り外し操作が可能な固定部材によって、前記パネルモジュールが前記筐体に固定されていることを特徴とする表示装置。
【請求項２】
請求項１に記載の表示装置において、前記固定部材は、前記フロントキャビネットと前記パネルモジュールとを固定していることを特徴とする表示装置。
【請求項３】
請求項１に記載の表示装置において、前記筐体は、前記フロントキャビネットと前記バックキャビネットとの間で固定されたパネルモジュール保持部材を有し、前記固定部材は、前記パネルモジュール保持部材と前記パネルモジュールとを固定していることを特徴とする表示装置。
【請求項４】
請求項３に記載の表示装置において、前記バックキャビネット、前記フロントキャビネット、及び前記パネルモジュール保持部材が第２の固定部材で固定されていることを特徴とする表示装置。
【請求項５】
請求項３に記載の表示装置において、前記バックキャビネットと前記パネルモジュール保持部材とが第２の固定部材で固定され、前記フロンキャビネットは、第３の固定部材で前記バックキャビネットに固定されていることを特徴とする表示装置。
【発明の詳細な説明】
【技術分野】
【０００１】
本発明は、表示装置に関し、より詳細には、表示パネルを照明するバックライトが、フロントキャビネットとバックキャビネットからなる筐体内に収容された構成を有する表示装置に関する。
【背景技術】
【０００２】
図５は、液晶テレビの構成の一例を説明するための図で、図５（Ａ）は液晶テレビの背面斜視概略図、図５（Ｂ）は液晶テレビの分解斜視図である。
液晶テレビ１は、画像を表示する表示面を前側に有するパネルモジュール２と、パネルモジュール２の周縁部を取囲むフロントキャビネット３と、パネルモジュール２の後側を覆うリアキャビネット４と、パネルモジュール２を起立状態にて支持するスタンド５とを備えている。
【０００３】
パネルモジュール２は、表示面を有する液晶パネルと、液晶パネルを照明するためのバックライト部と、回路基板、電源基板等の電子部品とを備えている。
フロントキャビネット３は、表示面の周縁部を取囲むようにパネルモジュール２に取り付けられる。また、バックキャビネット４は、ネジによりフロントキャビネット３に取り付けられている。バックキャビネット４とフロントキャビネット３とによって、パネルモジュール２を収容する筐体を構成している。
【０００４】
スタンド５は、載置台等に載置されるベース部５１及びベース部５１に立設された脚部５２，５２を有し、脚部５２，５２の上部がパネルモジュール２の裏側に取外し可能に取着されており、パネルモジュール２を起立状態にて支持している。
【０００５】
上記のごとくの液晶テレビでは、バックライトの光源として発光ダイオード（ＬＥＤ（Light Emitting Diode））を採用したものが普及しつつある。点光源であるＬＥＤは、冷陰極管よりも光源レイアウトの自由度が高く、映像表示領域をより細分化して輝度調節することが可能となる。
ここでバックライト用のＬＥＤは、電力供給用の配線パターンが形成された基板に実装されモジュール化されている。このような構成では、バックライトに使用するＬＥＤは、その数が多くなり、液晶テレビに組み込まれた状態のＬＥＤに故障や破損等の不具合が生じる確率も高くなり、この場合には、ＬＥＤの交換等のメンテナンスの必要性が生じる。
【０００６】
ＬＥＤバックライトのメンテナンスを行うための技術に関し、例えば特許文献１には、一部のＬＥＤの故障や破損時に最小限のＬＥＤだけを選択的に修理及び交換できるようにすることを目的とした液晶表示モジュールが開示されている。この液晶表示モジュールのバックライトアセンブリは、マトリクス状の複数のバックライトサブユニットを有し、バックライトサブユニットの各々には、所定の配置パターンで配置されたＬＥＤが含まれている。このような構成とすることで、一部のＬＥＤに故障等があったときに、該当するバックライトサブユニットのみを交換すればよくなる。
【先行技術文献】
【特許文献】
【０００７】
【特許文献１】特開２００７−１８３５６０号公報
【発明の概要】
【発明が解決しようとする課題】
【０００８】
上記のように、バックライトに使用するＬＥＤはその数が多く、故障や破損等の不具合が生じる確率も高くなる。この場合、液晶テレビのバックキャビネット及びフロントキャビットを分解し、パネルモジュール２に取り付けられているＬＥＤモジュールを露出させ、不具合となっているＬＥＤの交換や修理等の処理を行う必要がある。しかしながら、ＬＥＤの交換等の処理を行うためのキャビネットの分解作業が繁雑であり、作業者が目的のＬＥＤに到達するまでに手間と時間がかかる、という課題があった。
【０００９】
図６は、従来の液晶テレビの断面構成を模式的に示す図である。ここでは、図示左側が液晶テレビ１の起立時の下側となる。液晶テレビ１は、フロントキャビネット３と、バックキャビネット４とにより構成される筐体内に、パネルモジュール２が収容されている。このパネルモジュール２は、バックライトとして使用するＬＥＤを基板上に実装してなるＬＥＤモジュール２１、液晶パネル２２、導光板２３、映像処理やバックライト駆動等のための電子部品を実装した基板２４、基板２４やＬＥＤモジュール２１等を保持するためのバックライトシャーシ２５等を有している。
【００１０】
バックキャビネット４とフロントキャビネット３とは、ビス１２によって固定される。ビス１２は、所定の位置に複数取り付けられる。この数は画面の大きさによっても異なる。また、バックライトシャーシ２５とフロントキャビネット３とがビス１１によって固定される。ビス１１についても所定位置に複数取り付けられている。パネルモジュール２の周囲には、ベゼル６が配置される。
【００１１】
ＬＥＤモジュール２１は、基板上に複数のＬＥＤを実装して点灯可能としたもので、液晶パネル２２の周囲を囲むように取り付けられている。ＬＥＤモジュール２１のＬＥＤから発光した光は、導光板２３により導光されて液晶パネル２２を照明する。つまり、本構成により、ＬＥＤを光源とするエッジライト型のバックライトが実現されている。スタンド５は、その脚部の上部がバックライトシャーシ２５の裏側に取外し可能に固定されている。固定には、ビス１３が用いられている。
【００１２】
ＬＥＤモジュール２１のいずれかのＬＥＤに故障や破損等の不具合が生じ、ＬＥＤの交換等のメンテナンスが必要になった場合、まず、バックキャビネット４の裏側からビス１２を全て外し、パネルモジュール２とフロントキャビネット３とからバックキャビネット４を取り外す。そして、液晶パネル２２の画面を下にして液晶テレビ１を作業台等の上に置き、パネルモジュールの背面側（図６の上側）にある部材等を除去する。ここではビス１３を外して、バックライトシャーシ２５からスタンド５を取り外す等の作業が必要となる。
【００１３】
そして、バックライトシャーシ２５の背面側からビス１１を取り外し、パネルモジュール２とフロントキャビネット３とを分離することで、ＬＥＤモジュール２１を露出させることができる。ＬＥＤモジュール２１が露出すれば、所望のＬＥＤ等に対して交換等のメンテナンスを施すことができる。このように、目的とするＬＥＤにたどり着くまでには、煩雑な分解作業が必要となる構造となっている。
【００１４】
本発明は、上述のごとき実情に鑑みてなされたものであり、キャビネットの内部にバックライトを収容して表示パネルを照明する構成をもつ表示装置において、バックライトのメンテナンス行うためのキャビネットの分解作業を迅速かつ容易に行うことができるようにした表示装置を提供することを目的とするものである。
【課題を解決するための手段】
【００１５】
上記課題を解決するために、本発明の第１の技術手段は、前面に表示面を有する表示パネル、及び表示パネルを照明するバックライトを有するパネルモジュールと、パネルモジュールの表示パネルの周縁を取り囲むフロントキャビネットと、パネルモジュールの背面側を覆うバックキャビネットとを有し、パネルモジュールとフロントキャビネットからなる筐体内にパネルモジュールが収容されてなる表示装置において、バックライトは、表示パネルの周囲にＬＥＤによるバックライト光源を有し、表示装置の前面側から取り外し操作が可能な固定部材によって、パネルモジュールが筐体に固定されていることを特徴としたものである。
【００１６】
第２の技術手段は、第１の技術手段において、上記の固定部材が、フロントキャビネットとパネルモジュールとを固定していることを特徴としたものである。
【００１７】
第３の技術手段は、第１の技術手段において、上記の筐体が、フロントキャビネットとバックキャビネットとの間で固定されたパネルモジュール保持部材を有し、上記の固定部材が、パネルモジュール保持部材とパネルモジュールとを固定していることを特徴としたものである。
【００１８】
第４の技術手段は、第３の技術手段において、バックキャビネット、フロントキャビネット、及びパネルモジュール保持部材が第２の固定部材で固定されていることを特徴としたものである。
【００１９】
第５の技術手段は、第３の技術手段において、バックキャビネットとパネルモジュール保持部材とが第２の固定部材で固定され、フロンキャビネットは、第３の固定部材でバックキャビネットに固定されていることを特徴としたものである。
【発明の効果】
【００２０】
本発明によれば、キャビネットの内部にバックライトを収容して表示パネルを照明する構成をもつ表示装置において、バックライトのメンテナンス行うためのキャビネットの分解作業を迅速かつ容易に行うことができるようにした表示装置を提供することができる。
【図面の簡単な説明】
【００２１】
【図１】本発明に係る表示装置として適用する液晶テレビの断面構成例を模式的に示す図である。
【図２】液晶テレビのＬＥＤのメンテナンスを行うときの手順を説明するための図で、液晶テレビを前面斜めから見た状態を模式的に示すものである。
【図３】本発明に係る表示装置として適用する液晶テレビの断面構成の他の例を模式的に示す図である。
【図４】本発明に係る表示装置として適用する液晶テレビの断面構成の更に他の例を模式的に示す図である。
【図５】液晶テレビの構成の一例を説明するための図である。
【図６】従来の液晶テレビの断面構成を模式的に示す図である。
【発明を実施するための形態】
【００２２】
（実施形態１）
図１は、本発明に係る表示装置として適用する液晶テレビの断面構成例を模式的に示す図で、本発明の第１実施形態を示すものである。ここでは、図示左側が液晶テレビ１の起立時の下側となる。液晶テレビ１は、フロントキャビネット３と、バックキャビネット４とにより構成される筐体内に、パネルモジュール２が収容されている。このパネルモジュール２は、バックライトとして使用するＬＥＤを基板上に実装してなるＬＥＤモジュール２１、液晶パネル（表示パネル）２２、導光板２３、映像処理やバックライト駆動等のための電子部品を実装した基板２４、基板２４やＬＥＤモジュール２１等を保持するためのバックライトシャーシ２５等を有している。また、バックライトシャーシ２５の背面側には、所定高さのボス２６が複数箇所に配設される。このボス２６は、バックキャビネット４を取り外した状態のパネルモジュール２を作業台等の上に倒して置くことができるようにするためのものである。
【００２３】
ＬＥＤモジュール２１は、基板上に複数のＬＥＤを実装して点灯可能としたもので、液晶パネル２２の周囲を囲むように取り付けられている。ＬＥＤモジュール２１のＬＥＤから発光した光は、導光板２３により導光されて液晶パネル２２を照明する。つまり、本例の構成により、ＬＥＤを光源とするエッジライト型のバックライトが実現されている。また、スタンド５は、その脚部の上部がバックライトシャーシ２５の裏側に取外し可能に固定されている。固定には、ビス１３が用いられている。  
【００２４】
バックライトキャビネット４とフロントキャビネット３とは、ビス１２によって固定される。ビス１２は、所定の位置に複数取り付けられる。この数は画面の大きさによっても異なる。また、パネルモジュール２のバックライトシャーシ２５とフロントキャビネット３とがビス１１によって固定される。ビス１１についても所定位置に複数取り付けられている。パネルモジュール２の周囲には、ベゼル６が配置される。
【００２５】
本発明に係る実施形態では、フロントキャビネット３とパネルモジュール２とを固定するビス１１が、表示装置の前面側から取り外し可能となっている。ビス１１は、表示装置の前面側から取り外し操作可能な本発明の固定部材に相当するものである。これにより、フロントキャビネット３とバックキャビネット４とを簡単に分解することができ、目的とするＬＥＤを容易に露出させることができる。つまり、ＬＥＤバックライトのメンテナンス行うためのキャビネットの分解作業を迅速かつ容易に行うことができるようになる。
【００２６】
図２は、液晶テレビのＬＥＤのメンテナンスを行うときの手順を説明するための図で、液晶テレビを前面斜めから見た状態を模式的に示すものである。ＬＥＤモジュール２１のいずれかのＬＥＤに故障や破損等の不具合が生じ、ＬＥＤの交換等のメンテナンスが必要になった場合、まず、バックキャビネット４の裏側からビス１２を全て外し、パネルモジュール２及びフロントキャビネット３から、バックキャビネット４を取り外す。図２（Ａ）は、このときのバックキャビネット４を取り外した状態を示す。
【００２７】
そして、表示装置の前面側からビス１１を全て外し、パネルモジュール２からフロントキャビネット３を取り外す。図２（Ａ）の例では、ビス１１はフロントキャビネット３の４角に設けられているが、このビス１１の数と配設位置は一例を示すものであって、画面の大きさやパネルモジュール及びキャビネットの仕様などによって適宜変更することができる。
【００２８】
図２（Ｂ）は、パネルモジュール２からフロントキャビネット３を取り外した状態を示している。パネルモジュール２からフロントキャビネット３を取り外し、ベゼル６（図２には図示せず）を外すことにより、パネルモジュール２に配置されているＬＥＤモジュール２１を露出させることができる。ＬＥＤモジュール２１が露出すれば、所望のＬＥＤ等に対して交換等のメンテナンスを施すことができる。図２（Ｃ）の矢印は、ＬＥＤを取り外すときのイメージを示している。
本発明に係る実施形態では、フロントキャビネット３をパネルモジュール２に固定しているビス１１を前面側から取り外すことができるため、従来のように、ＬＥＤへのアクセスに邪魔なスタンド５等が存在するパネルモジュール２の背面側からビス１１の取り外し作業を行う必要がなくなり、作業性が飛躍的に向上する。
【００２９】
また、本実施形態では、図２（Ａ）の状態のパネルモジュール２を作業台等の上に倒して置くことができるようにするためのボス２６が、バックライトシャーシ２５の背面側に配設されている（図１参照）。通常、フロントキャビネット３が取り付けられているパネルモジュール２からバックキャビネット４を取り外す際には、表示装置を起立させた状態で作業を行う。そして、バックキャビネット４を取り外した後、表示装置を横に倒して作業台等の上の置き、ＬＥＤの交換等のメンテナンス作業を行う。作業性を向上させるためである。
【００３０】
この場合、本実施形態では、表示装置の前面側からビス１１を取りはずため、液晶パネルの表示画面が上を向くように倒されて置かれる。このときに、バックキャビネット４が取り外されている状態であるため、パネルモジュール２の背面側が下側となる。パネルモジュール２の背面側には、基板２４や他の電子部品などが配設されているため、これらが直接に作業台上に接触しておかれると、表示装置の自重でストレスがかかり悪影響が生じるおそれがあるため、基板２４等にストレスをかけないように、バックライトシャーシ２５の背面側に所定高さのボス２６が複数箇所に配設される。ボス２６の高さは、基板等２４を下側にして表示装置が置かれたときに、基板２４等が作業台面に接触しない高さであればよい。
【００３１】
上記のように、本発明に係る実施形態によれば、フロントキャビネット３をパネルモジュール２に取り付けるためのビス１１を、表示装置の前面側（表示画面側）から取り外し可能に構成したので、目的とするＬＥＤを簡単に露出させることができる。つまり、ＬＥＤバックライトのメンテナンス行うためのキャビネットの分解作業を迅速かつ容易に行うことができるようになる。
【００３２】
（実施形態２）
図３は、本発明に係る表示装置として適用する液晶テレビの断面構成の他の例を模式的に示す図で、本発明の第２実施形態を示すものである。図３において、図１と同じ機能を有する同一の要素には、図１と同じ符号を付けその繰り返しの説明は省略する。
本実施形態では、パネルモジュール保持部材７を使用して、パネルモジュール２を固定する構成を備えることを特徴としている。パネルモジュール保持部材７は、金属製の金具として構成することができる。
【００３３】
上記実施形態１の場合、フロントキャビネット３の前面側にビス１１の頭の部分が露出するため、意匠上の品位が低下する場合もある。これに対して本実施形態では、フロントキャビネット３の内側（表示装置の背面側）にパネルモジュール保持部材７を設け、このパネルモジュール保持部材７とパネルモジュール２のバックライトシャーシ２５とをビス１１にて固定するようにしている。このビス１１は、表示装置の前面側から取り外しが可能になっており、本発明に固定部材に相当するものである。
【００３４】
バックキャビネット４とフロントキャビネット３とは、ビス１２によって固定されるが、このときに、バックキャビネット４とフロントキャビネット３との間にパネルモジュール保持部材７の一部分が挟み込まれて固定される。これにより、ビス１２によって、バックキャビネット４、フロントキャビネット３、及びパネルモジュール保持部材７が一体的に固定される。ビス１２は、本発明の第２の固定部材に相当するものである。
そしてビス１１によって、パネルモジュール保持部材７に対してバックライトシャーシ２５が固定され、パネルモジュール２の固定が行われる。ビス１１は、フロントキャビネット３の内側のパネルモジュール保持部材７を用いてパネルモジュール２を固定しているため、フロントキャビネット３の前面側からは、ビス１１は視認されない。
【００３５】
本実施形態の構成において、ＬＥＤモジュール２１のいずれかのＬＥＤに故障や破損等の不具合が生じ、ＬＥＤの交換等のメンテナンスが必要になった場合、まず、バックキャビネット４の裏側からビス１２を全て外してバックキャビネット４を取り外し、さらにフロントキャビネット３をパネルモジュール２から取り外す。そして、表示装置の前面側からビス１１を全て外し、パネルモジュール２からパネルモジュール保持部材７を取り外す。ビス１１を外すときには、ボス２６の存在により、パネルモジュール２の背面側を下にして作業台等の上に置くことができる。
【００３６】
パネルモジュール２からパネルモジュール保持部材７を取り外し、ベゼル６を取り外せば、パネルモジュール２に配置されているＬＥＤモジュール２１を露出させることができる。ＬＥＤモジュール２１が露出すれば、所望のＬＥＤ等に対して交換等のメンテナンスを施すことができる。
このように、本発明に係る実施形態によれば、パネルモジュール２をパネルモジュール保持部材７を介して各キャビネット３，４に固定するためのビス１１を、表示装置の前面側（表示画面側）から取り外し可能に構成したので、目的とするＬＥＤを簡単に露出させることができる。つまり、ＬＥＤバックライトのメンテナンス行うためのキャビネットの分解作業を迅速かつ容易に行うことができるようになる。
【００３７】
（実施形態３）
図４は、本発明に係る表示装置として適用する液晶テレビの断面構成の更に他の例を模式的に示す図で、本発明の第３実施形態を示すものである。図４において、図１と同じ機能を有する同一の要素には、図１と同じ符号を付けその繰り返しの説明は省略する。
本実施形態では、バックキャビネット４をベゼル（カバー）６にビス止めし、ベゼル６に対してパネルモジュール２を固定する構成を備えることを特徴としている。また、フロントキャビネット３は、バックキャビネットに対してビス止め固定する。
【００３８】
本実施形態では、フロントキャビネット３の内側（表示装置の背面側）に液晶パネル２２のカバーとして設けられるベゼル６を拡張し、このベゼル６とパネルモジュール２のバックライトシャーシ２５とをビス１１にて固定するようにしている。つまり、本実施形態のベゼル６は、本発明のパネルモジュール保持部材の他の形態に相当するものである。このビス１１は、表示装置の前面側から取り外しが可能になっている。
【００３９】
バックキャビネット４は、ベゼル６に対してビス１２によって固定される。ビス１２は、本発明の第２の固定部材に相当するが、本実施形態では、上記第２の実施形態と異なり、ビス１２は、バックキャビネット４とベゼル６（パネルモジュール保持部材）とを固定している。そしてビス１１によって、ベゼル６に対してバックライトシャーシ２５が固定され、パネルモジュール２の固定が行われる。
また、フロントキャビネット３は、バックキャビネット４に対して、ビス１４により固定される。ビス１４は、本発明の第３の固定部材に相当するもので、表示装置の側面側からフロントキャビネット３をバックキャビネット４に固定している。フロントキャビネット３の液晶パネル２２側は、ベゼル６に対してはめ込み固定が可能なように構成されている。
【００４０】
パネルモジュール２を固定するビス１１は、フロントキャビネット３の内側のベゼル６に対してパネルモジュール２を固定しているため、フロントキャビネット３の前面側からは、ビス１１は視認されない。
【００４１】
本実施形態の構成において、ＬＥＤモジュール２１のいずれかのＬＥＤに故障や破損等の不具合が生じ、ＬＥＤの交換等のメンテナンスが必要になった場合、まず、ビス１４を取り外して、フロントキャビネット３を表示装置から取り外す。次に、バックキャビネット４の裏側からビス１２を全て外してバックキャビネット４を取り外す。そして、表示装置の前面側からビス１１を全て外し、パネルモジュール２からベゼル６を取り外す。ビス１１を外すときには、ボス２６の存在により、パネルモジュール２の背面側を下にして作業台等の上に置くことができる。
【００４２】
パネルモジュール２からベゼル６を取り外せば、パネルモジュール２に配置されているＬＥＤモジュール２１を露出させることができる。ＬＥＤモジュール２１が露出すれば、所望のＬＥＤ等に対して交換等のメンテナンスを施すことができる。
このように、本発明に係る実施形態によれば、パネルモジュール２を固定するためのビス１１を、表示装置の前面側（表示画面側）から取り外し可能に構成したので、目的とするＬＥＤを簡単に露出させることができる。つまり、ＬＥＤバックライトのメンテナンス行うためのキャビネットの分解作業を迅速かつ容易に行うことができるようになる。
【符号の説明】
【００４３】
１…液晶テレビ、２…パネルモジュール、３…フロントキャビネット、４…バックキャビネット、５…スタンド、６…ベゼル、７…パネルモジュール保持部材、１１…ビス、１２…ビス、１３…ビス、１４…ビス、２１…ＬＥＤモジュール、２２…液晶パネル、２３…導光板、２４…基板、２５…バックライトシャーシ、２６…ボス、５１…ベース部、５２，５２…脚部。
【図１】
2011085694.tif 000003
【図２】
2011085694.tif 000004
【図３】
2011085694.tif 000005
【図４】
2011085694.tif 000006
【図５】
2011085694.tif 000007
【図６】
2011085694.tif 000008